(57)【要約】【課題】  作業に必要な動作を無理なく行うことができ、しかも、規律感や品位のある雰囲気を周囲に与えることができる白衣を代表とする作業用の上衣を提供すること。【解決手段】  左右の前身頃２３、襟２４および左右の袖２７がジャケットやスーツなどの上衣に使われる布帛生地により膝付近までの丈に形成された上衣において、少なくとも後身頃２１の背、又は、その背の左右側をストレッチ生地による伸縮部２２に形成したこと。【選択図】図２
0003134796.tif 000002
【実用新案登録請求の範囲】
【請求項１】
左右の前身頃、襟および左右の袖がジャケットやスーツなどの上衣に使われる布帛生地により膝付近までの丈に形成された上衣において、少なくとも後身頃の背、又は、その背の左右側をストレッチ生地による伸縮部に形成したことを特徴とする上衣。
【請求項２】
伸縮部が後身頃における背の両脇に関係する領域に形成されている請求項１に記載の上衣。
【請求項３】
伸縮部が後身頃における背全体に形成されている請求項１に記載の上衣。
【請求項４】
伸縮部が後身頃における背の中央に関係する領域および袖の内袖となる領域に形成されている請求項１に記載の上衣。
【請求項５】
伸縮部が後身頃における肩胛骨に関係する領域と袖内側に関係する領域に形成されている請求項１に記載の上衣。
【請求項６】
ストレッチ生地は、伸縮性のある糸により織成又は編成した生地、または、プリーツを付与した生地である請求項１〜５のいずれかに記載の上衣。
【考案の詳細な説明】
【技術分野】
【０００１】
本考案は、作業に適した上衣に係わり、さらに詳しくは、規律感や品位を保持したまま、運動追従性を阻害しない構造を備えた白衣などの作業に適した上衣（以下、単に上衣という）に関する。
【背景技術】
【０００２】
白衣（白のみならず淡色のものを含む）などの上衣を着用した医師や看護師にあっては、問診だけでなく、直接患者を動かしたり、運んだりするなどの様々な動きが要求される。従来、上衣としての白衣は、薄い布帛生地で全体を作り、基本的な身体運動に応じられるように形成されてはいる。しかし、腕を大きく上げると、白衣の裾が引っ張られて、体が窮屈になり、また、腰を曲げると、白衣が引きつり、体を自由に曲げにくくなるなど、身体の動きに対する追随性に欠ける憾があり、緊急作業などに迅速に対応できない場合がある。
【０００３】
運動追従性を重視した場合、上衣全体をストレッチ生地のみによって構成することもできるが、見た目の規律感が損なわれて崩れた印象を周囲の者に与え、信頼感を損ねるおそれもあるため、規律感や品位のある服装を要求される医師や看護師などの職業用の上衣として適していない。
【考案の開示】
【考案が解決しようとする課題】
【０００４】
本考案は、上記のような作業に適した上衣の問題点に鑑み、作業に必要な動作を無理なく行うことができ、しかも、規律感や品位のある雰囲気を周囲に与えることができる白衣を代表とする作業用の上衣を提供することを、その課題とする。
【課題を解決するための手段】
【０００５】
上記課題を解決することを目的としてなされた本考案上衣の構成は、左右の前身頃、襟および左右の袖がジャケットやスーツなどの上衣に使われる布帛生地により膝付近までの丈に形成された上衣において、少なくとも後身頃の背、又は、その背の左右側をストレッチ生地による伸縮部に形成したことを特徴とするものである。
【０００６】
本考案の上衣において、伸縮部は、後身頃における背の両脇に関係する領域を、後身頃における背全体を、又は、後身頃における背の中央に関係する領域および袖の内側に位置する領域を、又は、後身頃における肩胛骨に関係する領域および袖の内側に関係する領域に形成されてもよい。また、ストレッチ生地は、伸縮性のある糸により織成又は編成した生地、または、箱プリーツ、片ヒダプリーツ等のプリーツ（以下、単にプリーツという）を付与した生地とすることができる。
【考案の効果】
【０００７】
本考案の上衣は、左右の前身頃、襟および左右の袖がジャケットやスーツなどの上衣に使われる布帛生地により膝付近までの丈に形成された上衣において、少なくとも後身頃の背、又は、その背の左右側をストレッチ生地による伸縮部に形成したため、様々な作業姿勢に対してストレッチ生地の部位が伸縮し、身体運動によく追従し、種々の作業を迅速かつ確実に行うことができる。
【考案を実施するための最良の形態】
【０００８】
以下、図を参照して、本発明上衣の実施形態を説明する。実施形態として説明する上衣は、いずれも、医者や看護師などが着用する白衣の例である。
【０００９】
添付図において、図１は第一の実施形態を示す本考案を適用したセットインスリーブ型式上衣の正面図、図２は図１の上衣の背面図、図３は本考案を適用した他の例の背面図、図４は本考案を適用した別の例の正面図、図５は本発明を適用するラグランスリーブ型式の上衣の正面図、図６は図５の上衣に本考案を適用した一例の背面図、図７は図５の上衣に本考案を適用した第二例の背面図、図８は図５の上衣に本考案を適用した第三例の背面図、図９は図１，図５の上衣とは袖付け形態が異なる（ＮＵＣ袖という）上衣の正面図、図１０は図９の上衣に本考案を適用した第一例の背面図、図１１は図９の上衣に本考案を適用した第二例の背正面図、図１２は本考案を適用した別の上衣の正面図、図１３は図１２の上衣の背面図、図１４本考案を適用した更に別の上衣の正面図、図１５は図１４の上衣の背面図である。
【００１０】
図１および図２に示す上衣は、丈が着用者の膝下くらいの長さをもつ、前開きの白衣である。
【００１１】
前身頃は、図１に示すように、左右の前身頃２３からなっており、通常のボタン，スナップボタン，ファスナー，面ファスナーなどによって開閉できる。前身頃２３の両側縁は、図２に示すように背面まで回り込んでおり、回り込んだ部分が後身頃２１の両側縁に縫合されている。
【００１２】
襟２４は、スーツなどに採用されているノッチをもつ普通襟からなっている。左右の袖２７は、セットイン袖であり、袖外側を形成する部分が肩口まで延びて、セットイン袖によるショルダーラインを形成している。袖ぐりは、前身頃２３、後身頃２１の上側の縁および襟２４に縫合されている。胸ポケット２５は、袋布を前身頃２３の表面に配置し、その前身頃２３に縫合されており、腰ポケット２６は袋布が前身頃２３の裏面に配置して形成されている。後身頃２１の腰に当たる部分には、ベルト２８が縫合され、裾には、スリット又はベント２９が形成されている。
【００１３】
この白衣において、後身頃２１の背の両側縁にある伸縮部２２を除く部分は、ジャケットやスーツなどの上衣に使われる、型くずれのない又は型くずれの少ない綿織物、毛織物、化繊織物などの布帛生地からなる。伸縮部２２は、幅狭くかつ細長い平面形状をもつもので、後身頃２１の左右の両側縁に襟２４からベルト２８にかけて配置され、前身頃２３、後身頃２１、袖２７の取付け部に縫合されている。左右の伸縮部２２は、伸縮性のある糸により織成又は編成したストレッチ生地、一例としてポリエステル系織物やポリエステル系の糸を織り込んだ綿織物などからなっている。なお、必要に応じて、細いプリーツを形成した織物によるストレッチ生地を使用することもできる。
【００１４】
図１，図２の白衣（上衣）は、羽織ったあと、前身頃２３を閉じると、襟２４が普通襟であり、患者などに対面する前面がジャケットやスーツなどの上衣に使われる布帛生地によって形成され、フォーマルな印象となっているため、医者としての規律感や品位を患者などに与えることができる。そして、患者を診るときなどに、例えば背をかがめても、伸縮部２２が伸びて、白衣が身体の動きに良く追随するため、診断に必要な動作を無理なく、円滑に行うことができる。図３，図４は、伸縮部２２を、後身頃２１の肩からベルト２８にかけてほぼ全面的に設けた例の背面図であり、伸縮部１２２の面積が広いので、身体の動きに対する追従性がより高いものとなる。
【００１５】
本考案は、上記例のほかに例えば図５〜図８に示すように、ラグランスリーブの上衣に対しても適用することができ、これらの上衣も先の例の上衣と同様に身体の動きに良く追随させることができる。
【００１６】
図５，図６に示す本考案を適用した上衣は、図１〜図４により説明したセットインスリーブ型の白衣と袖１２７の態様がラグランスリーブである点で異なり、他は同様な仕立て構造のものである。この実施例では、図６の後身頃２１の両側縁にある伸縮部１２２を除いて、ジャケットやスーツなどの上衣に使われる布帛生地からなる。図５，図６の例における伸縮部１２２の幅は、図２に示す白衣の場合よりも狭く形成されている。狭い伸縮性１２２であっても、後身頃の上半部の左右側にあるので、大きな動きを伴う作業であっても白衣が身体の動きによく追随でき、診断などの作業を必要な動作を無理なくかつ円滑に行うことができる。図５，図６において、図１〜図４と同一符号は同一部材や同一部位を示している。
【００１７】
図７および図８に示す本考案を適用したラグランスリーブ型の上衣の例では、上記図５，図６の例に比べ、伸縮部１２２を、その幅を大きくするか、又は、後身頃のほぼ全幅に形成した例であり、着用者の動きが大きな動作を伴う作業などであっても、着用している白衣が身体の運動きによく追随し、診断などの作業を無理なくかつ円滑に行うことができるようにした例である。図７，図８において、図５，図６と同じ部位，同一部材は同一符号で示している。
【００１８】
図９，図１０に示した白衣では、袖２２７（ＮＵＣ袖）が、袖上側と袖下側からなり、左右の袖上側が襟２４の部位にまで延びて、この白衣のショルダーラインを形成している。また、前身頃３２３は、側縁が背面に回り込み、回り込んだ部分を後身頃３２１の側縁に縫合されている。袖２２７の袖上側の袖ぐりは、左右の前身頃２３および後身頃２１の上側縁に縫合され、袖下側の袖ぐりは、左右の前身頃３２３および後身頃３２１の外側縁に縫合されている。なお、襟２４はノッチをもつ普通襟からなり、胸ポケット２５、腰ポケット２６およびベント２９、並びに、生地は図１に示す白衣と同様である。
【００１９】
図１０，図１１の本考案上衣においては、ストレッチ生地などからなる伸縮部２２２を、後身頃２１の上半部において、左右側か、又は、背全体に配置して、より大きな動きを伴う作業をしても、体を自由に動かすことができるよようにしている。伸縮部２２２には、前述した例と同様に、伸縮性のある糸により織成又は編成したストレッチ生地や細いプリーツを付けた生地が用いられている。
【００２０】
図１２と図１３は後身頃２１の背上半部と袖３２７に伸縮部３２２を形成した上衣の例を示している。図１２，図１３の上衣も、先の例で述べたものと同様の白衣である。
【００２１】
図１２，図１３の白衣における伸縮部３２２は、後身頃２１の背に対応する領域の中央に一本と、左右の袖３２７の袖下側とに配置されている。後身頃２１にある伸縮部３２２は、後身頃２１と襟２４とに縫合されている。伸縮部３２２は、伸縮性のある糸により織成又は編成したストレッチ生地や細いプリーツを付けた生地で形成されており、この伸縮部３２２を除く領域は、上記例の上衣と同様でジャケットやスーツなどの上衣に使われる布帛生地からなる。図１２，図１３において、２５は胸ポケット、２６は前ポケット、２８はベルト、２９はベントである。
【００２２】
図１４および図１５に示す本考案を適用した上衣の例も、図９〜図１１に示した白衣と同様の仕立て構造を有するが、左右の前身頃２３の合わせはダブル型式であり、右前身頃２３に縫いつけたボタンと左前身頃２３に設けたボタンホールにおいて開閉を行うタイプである。胸ポケット２５および腰ポケット２６は、いずれも、ポケット口を前身頃２３の表面に出し、ポケット本体を前身頃２３の裏面に配置し、かつ前身頃２３に縫合している。
【００２３】
伸縮部４２２は、後身頃８２１の左右の肩胛骨付近の領域と、左右の袖２２７の袖下側とに形成している。伸縮部４２２は、伸縮性のある糸により織成又は編成したストレッチ生地又はプリーツを付けた生地からなっている。そして、他の実施形態の白衣と同様に、伸縮部４２２を除く領域が、ジャケットやスーツなどの上衣に使われる、型くずれの少ない布帛生地からなっている。
【００２４】
図１４，図１５に示す白衣においても、羽織ってから腕を大きく持ち上げるなどしても、伸縮部４２２が伸びて、白衣が身体の動きによく追随するため、腕の上下を伴う作業を無理なく円滑に行うことができる。
【産業上の利用可能性】
【００２５】
本考案上衣は以上の通りであって、医者，看護師や教師などのように頻繁な身体の動き、或は、大きな動作を必須とする態様での業務を逐行する人々にとって、その任務を円滑に、かつ、容易に遂行することができる。
【００２６】
なお、本考案において、袖、左右の前身頃および後身頃からなる上衣全体に亘る仕立ては、図示した例ではない他の形態とすることができる。また、胸ポケット、腰ポケットも、左右の前身頃の開閉などの付着物も他の形態にすることができる。特に、伸縮部は、以上の実施形態に限られず、着用者がとる動作態様に応じて、大きさや配置を変更することができる。
【図面の簡単な説明】
【００２７】
【図１】第一の実施形態を示す本考案を適用したセットインスリーブ型式上衣の正面図。
【図２】図１の上衣の背面図。
【図３】本考案を適用した他の例の背面図。
【図４】本考案を適用した別の例の正面図。
【図５】本発明を適用するラグランスリーブ型式の上衣の正面図。
【図６】図５の上衣に本考案を適用した一例の背面図。
【図７】図５の上衣に本考案を適用した第二例の背面図。
【図８】図５の上衣に本考案を適用した第三例の背面図。
【図９】図１，図５の上衣とは袖付け形態が異なる（ＮＵＣ袖という）上衣の正面図。
【図１０】図９の上衣に本考案を適用した第一例の背面図。
【図１１】図９の上衣に本考案を適用した第二例の背正面図。
【図１２】本考案を適用した別の上衣の正面図。
【図１３】図１２の上衣の背面図。
【図１４】本考案を適用した更に別の上衣の正面図。
【図１５】図１４の上衣の背面図。
【符号の説明】
【００２８】
２１                                …後身頃
２２，１２２，２２２，３２２，４２２…伸縮部
２３                                …前身頃
２４                                …襟
２５                                …胸ポケット
２６                                …腰ポケット
２７                                …袖
２８                                …ベルト
２９                                …ベント
【図１】
0003134796.tif 000003
【図２】
0003134796.tif 000004
【図３】
0003134796.tif 000005
【図４】
0003134796.tif 000006
【図５】
0003134796.tif 000007
【図６】
0003134796.tif 000008
【図７】
0003134796.tif 000009
【図８】
0003134796.tif 000010
【図９】
0003134796.tif 000011
【図１０】
0003134796.tif 000012
【図１１】
0003134796.tif 000013
【図１２】
0003134796.tif 000014
【図１３】
0003134796.tif 000015
【図１４】
0003134796.tif 000016
【図１５】
0003134796.tif 000017